(57)【要約】【課題】  簡易構成でコストも低廉であって、かつ静まりかえったオフィス等においても騒音を発することがないために気兼ねなく誰でも容易に使用し得る足裏マッサージ機能付き椅子を提供する。【解決手段】  足裏マッサージ機能を有する椅子として、椅子脚部に対し着脱自在であってマッサージ部を有するマッサージ器を前記椅子脚部に取り付けた構成とした。【選択図】図３
0003139291.tif 000002
【実用新案登録請求の範囲】
【請求項１】
椅子脚部（６）に対し着脱自在であってマッサージ部（１４）を有するマッサージ器（１０、１０Ａ）を前記椅子脚部（６）に取り付けたことを特徴とする足裏マッサージ機能を有する椅子。
【請求項２】
請求項１記載の足裏マッサージ機能を有する椅子において、
前記マッサージ器（１０）は、組み合わされた状態がほぼロ字状をなす上側半体（１１）と下側半体（１２）とを備え、
前記上側半体（１１）の上部（１１ａ）の上下にわたってボルト（１３）が進退自在に螺設され、
前記上部（１１ａ）の下側に突出して位置するボルト（１３）の下部に前記椅子脚部への固定用の固定部（１３ａ）が設けられ、前記上部（１１ａ）の上側に突出して位置するボルトの上部にマッサージ部（１４）を設け、前記上側半体（１１）と下側半体（１２）を前記椅子脚部（６）の周囲に取り付けたことを特徴とする足裏マッサージ機能を有する椅子。
【請求項３】
請求項１または２記載の足裏マッサージ機能を有する椅子において、
前記上側半体（１１）の上方側部（１１ｂ）の外側面に平坦部とテーパ部とを組み合わせた第１の段付部（１１ｈ）を形成し、
前記下側半体（１２）の下方側部（１２ｂ）内側面に、前記第１の段付部（１１ｈ）と対応して接合する形状とした第２の段付部（１２ｈ）を形成し、前記椅子脚部（６）の上部から側部にわたって前記上側半体（１１）を位置させ、この位置とズレた位置に前記椅子脚部（６）の下部から側部にわたって前記下側半体（１２）を取り付け、いずれかまたは両者を移動させ、前記第１、第２の段付部（１１ｈ）、（１２ｈ）とを接合させ、前記マッサージ器（１０）を前記椅子脚部（６）に取り付けたことを特徴とする足裏マッサージ機能を有する椅子。
【請求項４】
請求項１記載の足裏マッサージ機能を有する椅子において、
前記マッサージ器（１０Ａ）は、マッサージ部（１４）と、このマッサージ部（１４）の底面ほぼ中央部に設けた取付部（１３’）からなり、
前記椅子脚部（６）の上方に取付孔（６ａ）を設け、この取付孔（６ａ）にマッサージ器（１０Ａ）の取付部（１３’）を挿通して取り付けてなることを特徴とする足裏マッサージ機能を有する椅子。
【請求項５】
請求項１〜４いずれか記載の足裏マッサージ機能を有する椅子において、
前記マッサージ器（１０、１０Ａ）のマッサージ部（１４）は縦断面ほぼしずく状をなすことを特徴とするマッサージ機能を有する椅子。
【請求項６】
請求項５記載の足裏マッサージ機能を有する椅子において、
前記マッサージ部（１４）の外周に球状体（１６）を設けたことを特徴とする足裏マッサージ機能を有する椅子。
【考案の詳細な説明】
【技術分野】
【０００１】
この考案は椅子に係り、詳しくは既存の事務用等の椅子に容易に足裏マッサージ機能を付加した椅子に関する。
【背景技術】
【０００２】
人体の足の裏には、古来より各種の「つぼ」があり、それらの「つぼ」を刺激することによって血行を良くしたり、脳や内臓の働きを活発にしたり、各種疾患の治療に役立つと云われている。
【０００３】
図１３（ａ）は右足の裏のつぼの一例、（ｂ）は左足を示す。ａは右腎臓、ａ’は左腎臓のつぼ、ｂは小腸のつぼ、ｃは胃のつぼ、ｄ、ｄ’は右、左肺と気管支のつぼ、ｅは肝臓のつぼ、ｆは副甲状腺のつぼ、ｇは大脳の左半球、ｇ’は右半球のつぼ、ｈは小脳のつぼ、ｉ、ｉ’は副鼻腔の右、左半分のつぼといわれている。また、その他多くのつぼが存在する。
【０００４】
このようなことから、健康器具として、例えば温泉旅館やスポーツクラブ等に足裏マッサージ器が置かれている。また、各種タイプのマッサージ器が市販されており、それを購入し家庭内においても使用されている。
【０００５】
これらの足裏マッサージ器は、上方が開口した有底箱状の筐体内に電動モータが内蔵され、電動モータの回転軸に、プーリーまたは歯車機構やカム等を連結し、これら駆動機構によって回転体あるいは足裏を押圧する上下動可能な部材を動かし、足裏をマッサージするようにしている。
【考案の開示】
【考案が解決しようとする課題】
【０００６】
このようなマッサージ器は、電気を動力源としたモータを用い、かつ駆動機構を構成する部品点数が多いため、組立が煩雑であり、これらに起因して比較的コスト高となるという欠点があった。
【０００７】
また、使用にあたり、モータの回転音やその他の駆動源による騒音が発生し、周囲に迷惑をかけるといった欠点もあった。
【０００８】
このため、静まりかえったオフィスなどの仕事場において、気軽に使用できないという課題があった。
【０００９】
ところで、椅子に座って勉強や読書をしたり、仕事をしていると、じっとしているため体の血行が悪くなり、新陳代謝が低下し、頭がボーっとしてきたり、足がむくんだり、体がだるくなったりし、能率が低下する。このような時に足裏をマッサージするとよいが、従来の足裏マッサージ器は騒音を発するため、静まりかえった場所では気軽に使用できない、という課題があった。
【００１０】
この考案は上記のことに鑑み提案されたもので、その目的とするところは、簡易構成でコストも低廉であって、かつ静まりかえったオフィス等においても騒音を発することがないために気兼ねなく誰でも容易に使用し得る足裏マッサージ機能付き椅子を提供することにある。
【課題を解決するための手段】
【００１１】
請求項１の考案は、椅子脚部（６）に対し着脱自在であってマッサージ部（１４）を有するマッサージ器（１０、１０Ａ）を前記椅子脚部（６）に取り付けたことを特徴とする。
請求項２の考案は、請求項１記載の足裏マッサージ機能を有する椅子において、前記マッサージ器（１０）は、組み合わされた状態がほぼロ字状をなす上側半体（１１）と下側半体（１２）とを備え、前記上側半体（１１）の上部（１１ａ）の上下にわたってボルト（１３）が進退自在に螺設され、前記上部（１１ａ）の下側に突出して位置するボルト（１３）の下部に前記椅子脚部への固定用の固定部（１３ａ）が設けられ、前記上部（１１ａ）の上側に突出して位置するボルトの上部にマッサージ部（１４）を設け、前記上側半体（１１）と下側半体（１２）を前記椅子脚部（６）の周囲に取り付けたことを特徴とする。
請求項３の考案は、請求項１または２記載の足裏マッサージ機能を有する椅子において、前記上側半体（１１）の上方側部（１１ｂ）の外側面に平坦部とテーパ部とを組み合わせた第１の段付部（１１ｈ）を形成し、前記下側半体（１２）の下方側部（１２ｂ）内側面に、前記第１の段付部（１１ｈ）と対応して接合する形状とした第２の段付部（１２ｈ）を形成し、前記椅子脚部（６）の上部から側部にわたって前記上側半体（１１）を位置させ、この位置とズレた位置に前記椅子脚部（６）の下部から側部にわたって前記下側半体（１２）を取り付け、いずれかまたは両者を移動させ、前記第１、第２の段付部（１１ｈ）、（１２ｈ）とを接合させ、前記マッサージ器（１０）を前記椅子脚部（６）に取り付けたことを特徴とする。
請求項４の考案は、請求項１記載の足裏マッサージ機能を有する椅子において、前記マッサージ器（１０Ａ）は、マッサージ部（１４）と、このマッサージ部（１４）の底面ほぼ中央部に設けた取付部（１３’）からなり、前記椅子脚部（６）の上方に取付孔（６ａ）を設け、この取付孔（６ａ）にマッサージ器（１０Ａ）の取付部（１３’）を挿通して取り付けてなることを特徴とする。
請求項５の考案は、請求項１〜４いずれか記載の足裏マッサージ機能を有する椅子において、前記マッサージ器（１０、１０Ａ）のマッサージ部（１４）は縦断面ほぼしずく状をなすことを特徴とする。
請求項６の考案は、請求項５記載の足裏マッサージ機能を有する椅子において、前記マッサージ部（１４）の外周に球状体（１６）を設けたことを特徴とする。
【考案の効果】
【００１２】
本考案によれば、既存の椅子に容易に取り付け、足裏マッサージ機能を有する椅子とすることができ、しかもマッサージ器は極めて簡易構成のため、安価である。
また、使用にあたり騒音が生ずることもないため、周囲に迷惑をかけることもなく、仕事中においても使用でき、つぼを刺激することにより、脳の働きを活発にしたり、体の疲れを取ることができるので、仕事や勉強等の能率を高め得る効果を有する。
【考案を実施するための最良の形態】
【００１３】
図１は本考案に係る椅子の一例である。椅子１は、背もたれ２を支持するための第１の支柱３を有し、この支柱３の下端部には座部４が設けられている。座部４の下面中央に第２の支柱５の上部が連結され、第２の支柱５の下方には放射状に延びる椅子脚部６が複数設けられている。各椅子脚部６の先端部下面には移動用のキャスター７がそれぞれ設けられている。
【実施例１】
【００１４】
図２は本考案の椅子１に適用されるマッサージ器の一実施例の平面図、図３は正面断面図、図４は側面図を示す。
【００１５】
マッサージ器１０は、木材、樹脂または金属製のものからなり、それぞれほぼコ字状をなす上側半体１１と下側半体１２の２分割構造となっており、それらを互いに向かい合わせると、正面図に示すように、ほぼロ字状をなす。上側半体１１は上部１１ａと、図示の状態において上部１１ａの両端部においてそれぞれ下方に延びる上方側部１１ｂを有している。上側半体１１と組み合わせられ一体化される下側半体１２は、下部と、図示の状態において下部１２ａの両端部においてそれぞれ上方に延びる下方側部１２ｂを有している。
【００１６】
上方側部１１ｂの下方側面は、図３に示すように側部外面から内面側に向かって直線状に延びる第１の平坦面１１ｃが形成され、この第１の平坦面１１ｃの内端に内面側に向かう第１のテーパ面１１ｄが連設され、第１のテーパ面１１ｄの下端は内側から外側に向かって突出する第２の平坦面１１ｅが連設され、第２の平坦面１１ｅの外端から再び内面側に向かう第２のテーパ面１１ｆが連設され、第２テーパ面１１ｆの下端から内面側に向かう第３の平坦面１１ｇが連設され、上方側部１１ｂの下方部外面は、正面から見てほぼジグザグ状の第１の段付部１１ｈが形成されている。
【００１７】
第１、第２、第３の平坦面１１ｃ、１１ｅ、１１ｇはそれぞれほぼ平行をなす。第１、第２のテーパ面１１ｄ、１１ｆもほぼ平行をなし、外面側から内面側に向かってテーパ面となっている。
【００１８】
なお、上側半体１１の上部１１ａのほぼ中央にはネジ穴１１ｉが設けられている。ネジ穴１１ｉにはほぼ円柱状をなすボルト１３が進退自在に螺設される。ボルト１３の下部には板状の固定部１３ａが設けられ、ボルト１３の上部には、頂部１４ａが丸みを帯びたマッサージ部１４が設けられている。 
【００１９】
下側半体１２の下方側部１２ｂの上方部内面には、第１の段付部１１ｈと対応して接合する形状とした下側半体１２側の下方側部１２ｂに形成された第２の段付部１２ｈが形成されている。
【００２０】
すなわち、下方側部１２ｂの上方部内面は、上方側部１１ｂ側の第１の平坦面１１ｃと接合する第１の平坦面１２ｃ、第２の平坦面１１ｅと接合する第２の平坦面１２ｅ、第３の平坦面１１ｇと接合する第３の平坦面１２ｇを有している。
【００２１】
また、下方側部１２ｂには、上方側部１１ｂ側の第１のテーパ面１１ｄと接合する第１のテーパ面１２ｄ、第２のテーパ面１１ｆと接合する第２のテーパ面１２ｆを有している。
【００２２】
なお、マッサージ部１４の材質としては、金属、木材、樹脂等のいずれでも良いが、木材を用いると見た目や感触が自然で優しい印象を使用者に与え好ましい。また、弾性体を用いても良く、この場合も柔らかく優しく、温かい感触を与え好ましい。また、弾性体の形状、素材を選択し、足で押圧して圧縮し、力を緩めた際の復元力によりマッサージ効果を高めるようにしても良い。
【００２３】
図５（ａ）は、本考案に用いられるマッサージ器１０を椅子脚部６に取り付ける状態を示す。
【００２４】
マッサージ部１４を有し、ほぼコ字状をなす上側半体１1を椅子脚部６の上部を抱持するように位置させ、上側半体１１の前方（椅子支持脚先端側）のズレた位置に下側半体１２を配置し、相互の段付部１１ｈ、１２ｈが接合する位置合わせし、摺動させ、上側半体１１と下側半体１２とを互いにきちんと向かい合った位置に対向配置させれば両者を容易に一体化できる。
【００２５】
なお、一体化させる場合、上側半体１１の後方側に下側半体１２を配置し、双方またはいずれか一方を移動させ両者を対向配置させ一体化させても良い。
【００２６】
図５（ｂ）は両者を一体化させた状態を示す。
【００２７】
一体化させた後、図３に示すように、マッサージ部１４を回転させボルト１３を下方へ締め込んでゆくと固定部１３ａが椅子脚部６の上面に当接し、これによりマッサージ器１０を固定することができる。
【００２８】
図６は使用状態を示す。足裏１５の所望の部位をマッサージ部１４の頂部１４ａに当接させ、適度の力でもって足を下方に押し付けたり、力を抜いたりすることによりマッサージ効果を得ることができる。この場合、モータ等が組み込まれたマッサージ器と異なり騒音が生ずることがないため、周囲に迷惑をかけることがなく、静まりかえったオフィス内において仕事等をしながらでも手軽、かつ気軽に使用することができる。
【００２９】
これによって、血行を良好とし、かつマッサージ効果により頭をスッキリさせたり、足のむくみをとったり、疲れを取ったりすることができる。
【実施例２】
【００３０】
図７は本考案に用いられるマッサージ器の第２実施例を示す。
【００３１】
この実施例では、マッサージ器１０Ａは、縦断面ほぼしずく状をなし、丸みを帯びた頂部１４ａを有するマッサージ部１４と、その底部ほぼ中央に突設された棒状の取付部１３’にてなるシンプルな構成となっている。
【００３２】
マッサージ機能を有する椅子としては、図８に示すように、椅子脚部６の上部に取付孔６ａを穿設し、図９に示すように、そこに取付部１３’を挿通させれば既存の椅子を容易にマッサージ機能を有する椅子とすることができる。
【００３３】
図１０は椅子脚部６の上部にその長さ方向に沿って適間隔でもって取付孔６ａを穿設し、いずれかの取付孔６ａを選択してマッサージ器１０Ａを取り付けたり、複数個の取付孔６ａにそれぞれマッサージ器１０Ａを取り付けて使用できるようにしたものである。
【００３４】
図１１（ａ）、（ｂ）はマッサージ部１４の外形を変えたもので、（ｂ）は（ａ）のものに比べ頂部１４ａに丸みを持たせた例を示す。図１０（ａ）のものの方が（ｂ）のものに比べ丸みが少ないため、足裏を押圧した場合、応力が集中するといった相違がある。
【００３５】
図１２（ａ）〜（ｃ）は、それぞれマッサージ部１４の変形例を示す。（ａ）のものは、図１〜図１０に示したものとほぼ同形状で、外周の適位置に少なくとも一以上の球状体１６を設け、頂部１４ａや球状体１６によっても「つぼ」を刺激できるようにしている。（ｂ）のものは図１０（ａ）に示したマッサージ部１４の外周に球状体１６を付設したタイプ、（ｃ）のものは図１０（ｂ）に示したマッサージ部１４の外周に球状体１６を付設したものである。それぞれ形状を変えており、好ましい寸法例を示す。
【００３６】
なお、本考案の足裏マッサージ機能を有する椅子１としては、事務用の回転椅子を例として説明したが、必ずしも事務用の回転椅子に限定されるものではない。
【００３７】
また、本考案に用いられる各種のマッサージ器１０、１０Ａは、単品で製造し販売することも可能である。そして、既存の椅子に取り付けることにより、足裏マッサージ機能を有する椅子とすることができる。
【００３８】
なお、上側半体１１、下側半体１２はそれぞれほぼコ字状とし、組み合わせた全体形状はほぼロ字状としたが、ほぼ長円形または楕円形となるような形状としても良いことは勿論である。
【００３９】
さらには、マッサージ器１０については、直立した棒に取り付け、背中や腰のマッサージ器具としても使用し得る。
【図面の簡単な説明】
【００４０】
【図１】本考案の椅子の一例の斜視図を示す。
【図２】本考案の椅子に用いられるマッサージ器の平面図を示す。
【図３】同上の正面縦断面図。
【図４】同上の側面図。
【図５】（ａ）本考案に用いられるマッサージ器を椅子に取り付けて本考案の椅子とする状態説明図、（ｂ）本考案に係る椅子の要部斜視図。
【図６】本考案の使用状態説明図。
【図７】本考案に用いられる他のマッサージ器の斜視図。
【図８】同上の他のマッサージ器が組み込まれる本考案に係る椅子の要部斜視図。
【図９】他のマッサージ器が組み込まれた本考案の第２実施例の要部斜視図。
【図１０】同上の他の例。
【図１１】（ａ）、（ｂ）は形状を変えたマッサージ器の例を示す。
【図１２】（ａ）〜（ｃ）は形状を変え、かつ球状体を付設した各種の例を示す。
【図１３】（ａ）、（ｂ）は足裏のつぼの説明図を示す。
【符号の説明】
【００４１】
１        椅子
２        背もたれ
３        第１の支柱
４        座部
５        第２の支柱
６        椅子脚部
６ａ      取付孔
７       キャスター
１０、１０Ａ    マッサージ器
１１    上側半体
１１ａ  上部
１１ｂ  上方側部
１１ｃ  第１の平坦面
１１ｄ  第１のテーパ面
１１ｅ  第２の平坦面
１１ｆ  第２のテーパ面
１１ｇ  第３の平坦面
１１ｈ  上方側部段付部
１１ｉ  ネジ穴
１２    下側半体
１２ａ  下部
１２ｂ  下方側部
１２ｃ  第１の平坦面
１２ｄ  第１のテーパ面
１２ｅ  第２の平坦面
１２ｆ  第２のテーパ面
１２ｇ  第３の平坦面
１２ｈ  下方側部段付部
１３    ボルト
１３’  取付部
１３ａ  固定部
１４    マッサージ部
１４ａ  頂部
１５    足裏
１６    球状体
【図１】
0003139291.tif 000003
【図２】
0003139291.tif 000004
【図３】
0003139291.tif 000005
【図４】
0003139291.tif 000006
【図５】
0003139291.tif 000007
【図６】
0003139291.tif 000008
【図７】
0003139291.tif 000009
【図８】
0003139291.tif 000010
【図９】
0003139291.tif 000011
【図１０】
0003139291.tif 000012
【図１１】
0003139291.tif 000013
【図１２】
0003139291.tif 000014
【図１３】
0003139291.tif 000015